(57)【特許請求の範囲】
【請求項１】
クロマトグラフで時間的に分離された試料中の成分を質量分析装置により分析するクロマトグラフ質量分析装置で得られたデータを処理するデータ処理装置であって、前記質量分析装置においてスキャン測定を実施することで繰り返し得られたマススペクトルデータを処理するクロマトグラフ質量分析データ処理装置において、
a)目的成分が質量分析装置に導入されている期間に得られたマススペクトルデータであって所定の時間範囲又は測定点範囲に含まれる複数の測定点のマススペクトルデータの中で、測定時に信号飽和が生じた又はその可能性があるデータを含むマススペクトルデータを識別する飽和データ識別手段と、
b)前記複数の測定点のマススペクトルデータの中で、前記飽和データ識別手段により信号飽和が生じた又はその可能性があるデータを含むと判定されなかったマススペクトルデータのみを利用して、平均マススペクトルを作成する平均マススペクトル作成手段と、
を備えることを特徴とするクロマトグラフ質量分析データ処理装置。
【請求項２】
請求項１に記載のクロマトグラフ質量分析データ処理装置であって、
測定時にマススペクトルデータ毎に信号飽和が生じた又はその可能性があるデータが含まれるか否かを判定してその判定結果を示す飽和識別フラグをデータに対応付けて記憶するフラグ記憶手段をさらに備え、
前記飽和データ識別手段は、マススペクトルデータに対応付けて記憶されている飽和識別フラグに基づいて、測定時に信号飽和が生じた又はその可能性があるデータを含むマススペクトルデータを識別することを特徴とするクロマトグラフ質量分析データ処理装置。
【発明の詳細な説明】
【技術分野】
【０００１】
本発明は、ガスクロマトグラフ（ＧＣ）や液体クロマトグラフ（ＬＣ）等のクロマトグラフと、ＭＳn型質量分析装置を含む質量分析装置とを組み合わせた、ガスクロマトグラフ質量分析装置（ＧＣ／ＭＳ）、液体クロマトグラフ質量分析装置（ＬＣ／ＭＳ）などのクロマトグラフ質量分析装置で収集されるデータを処理するデータ処理装置に関する。
【背景技術】
【０００２】
複数の成分（化合物）を含む試料中の各成分の定性分析や定量分析を行う際には、ＧＣ／ＭＳやＬＣ／ＭＳがよく利用される。ＧＣ／ＭＳやＬＣ／ＭＳを用いた定性分析では、一般に質量分析装置においてスキャン測定が行われ、所定の質量電荷比範囲に亘るマススペクトルが繰り返し取得される。このマススペクトルのパターンを予めスペクトルデータベース（ライブラリ）に格納されているマススペクトルパターンと照合することによって、パターンの類似度が高い化合物を抽出し、クロマトグラム上のピークに対応する化合物を特定する。クロマトグラム上に時間幅の狭い鋭いピークが現れる場合には、そのピークトップを与える測定点（測定時刻）のマススペクトルを利用して定性を行えばよい。
【０００３】
しかしながら、クロマトグラムのピークは様々な要因によって鈍ったり変形したりするため、厳密にピークトップを与える測定点を決めるのが困難である場合も多い。このような場合に備えて、従来のＧＣ／ＭＳ、ＬＣ／ＭＳ用のデータ処理装置は、クロマトグラムのピークトップ付近の複数の測定点（一般的には３点から５点程度）のマススペクトルを平均した平均マススペクトルを算出する機能を有している（非特許文献１参照）。
【０００４】
ところで、質量分析装置としてタンデム四重極型質量分析装置などを用いたＧＣ／ＭＳ／ＭＳやＬＣ／ＭＳ／ＭＳでは、目的化合物の定量分析を行うために多重反応モニタリング（ＭＲＭ＝Multiple Reaction Monitoring）測定モードによる分析がよく用いられる。ＭＲＭ測定モードは、前段四重極マスフィルタと後段四重極マスフィルタとでそれぞれ特定の質量電荷比を有するイオンのみを通過させて最終的に検出器に到達するイオンを検出するモードであり、クロマトグラフでは分離できなかった夾雑物由来のイオンと目的成分由来のイオンとを分離して後者のみを検出できるという利点を有する。その反面、ＭＲＭ測定モードでは保持時間以外に定性情報が得られないため、未知の成分が試料に含まれていてもこれを同定することは難しい。そこで、従来のＧＣ／ＭＳ／ＭＳやＬＣ／ＭＳ／ＭＳでは、ＭＲＭ測定とスキャン測定とを実質的に同時であるとみなせるような短い時間間隔で交互に繰り返すことにより、ＭＲＭ測定による定量情報とスキャン測定による定性情報とを並行して取得できるようになっている。
【０００５】
しかしながら、ＭＲＭ測定とスキャン測定とを短い時間間隔で交互に繰り返す場合には、次のような問題がある。
【０００６】
即ち、ＭＲＭ測定では２段の四重極マスフィルタでイオン選択が行われるため、一方の四重極マスフィルタをイオンが素通りする単純スキャン測定に比べて検出器に到達するイオン量が相対的にかなり少なくなる。一方で、定量分析を行うＭＲＭ測定では高い感度が要求される。そこで、一般に、ＭＲＭ測定とスキャン測定とが同時に（厳密には上述したように時分割であるが長い時間でみれば実質的に同時である）実施される場合には、ＭＲＭ測定で得られる相対的に少量のイオンでも充分な検出信号が得られるように、検出器のゲインは高く設定される。ところが、このように検出器のゲインが高いと、スキャン測定で得られる検出信号はＡ／Ｄ変換器の入力レンジを超えてしまい、しばしばデータの飽和が生じることになる。
【０００７】
スキャン測定において或る質量電荷比の信号強度データが飽和すると、そのときのマススペクトルのパターンは崩れてしまう。クロマトグラムピークのトップ付近の所定の時間範囲で上記のように平均マススペクトルを算出する際にパターンが崩れたマススペクトルが含まれると、得られる平均マススペクトルも目的化合物の特徴を的確に表さないものとなるおそれがある。そうなると、データベース検索の際に誤った化合物がヒットして誤同定を引き起こしたり、正解の化合物がヒットせずに同定漏れを引き起こしたりすることになる。
【先行技術文献】
【非特許文献】
【０００８】
【非特許文献１】「GCMSsolution 操作Q&A Q:マススペクトルの平均化処理をしたい（お問い合せ番号0620）」、株式会社島津製作所、［平成24年2月6日検索］、インターネット＜URL:  http://www.an.shimadzu.co.jp/gcms/support/faq/gcmssol/faq6.htm#0620＞
【発明の概要】
【発明が解決しようとする課題】
【０００９】
本発明は上記課題を解決するために成されたものであり、その目的とするところは、目的化合物の特徴を的確に表した平均マススペクトルを求めることにより、定性分析の正確性を向上させることができるクロマトグラフ質量分析用データ処理装置を提供することにある。
【課題を解決するための手段】
【００１０】
上記課題を解決するためになされた本発明は、クロマトグラフで時間的に分離された試料中の成分を質量分析装置により分析するクロマトグラフ質量分析装置で得られたデータを処理するデータ処理装置であって、前記質量分析装置においてスキャン測定を実施することで繰り返し得られたマススペクトルデータを処理するクロマトグラフ質量分析データ処理装置において、
a)目的成分が質量分析装置に導入されている期間に得られたマススペクトルデータであって所定の時間範囲又は測定点範囲に含まれる複数の測定点のマススペクトルデータの中で、測定時に信号飽和が生じた又はその可能性があるデータを含むマススペクトルデータを識別する飽和データ識別手段と、
b)前記複数の測定点のマススペクトルデータの中で、前記飽和データ識別手段により信号飽和が生じた又はその可能性があるデータを含むと判定されなかったマススペクトルデータのみを利用して、平均マススペクトルを作成する平均マススペクトル作成手段と、
を備えることを特徴としている。
【００１１】
本発明に係るクロマトグラフ質量分析用データ処理装置の一態様として、
測定時にマススペクトルデータ毎に信号飽和が生じた又はその可能性があるデータが含まれるか否かを判定してその判定結果を示す飽和識別フラグをデータに対応付けて記憶するフラグ記憶手段をさらに備え、
前記飽和データ識別手段は、マススペクトルデータに対応付けて記憶されている飽和識別フラグに基づいて、測定時に信号飽和が生じた又はその可能性があるデータを含むマススペクトルデータを識別する構成とすることができる。
【００１２】
ここでいうクロマトグラフはガスクロマトグラフ、液体クロマトグラフのいずれも含む。また、質量分析装置は一般的な質量分析装置のほか、タンデム四重極型質量分析装置のようなＭＳn型の質量分析装置も含む。したがって、ここでいうスキャン測定とは単純なスキャン測定のほか、ＭＳ／ＭＳ分析におけるプリカーサイオンスキャン測定、プロダクトイオンスキャン測定、ニュートラルロススキャン測定を含み、マススペクトルデータとはこれら各種スキャン測定で得られるＭＳ2スペクトルデータを含む。
【００１３】
本発明に係るクロマトグラフ質量分析用データ処理装置では、例えば、解析対象の目的成分がユーザにより指定され、該目的成分に対応するクロマトグラム上でその平均化処理を行う時間範囲又は測定点範囲がユーザにより指定されると、飽和データ識別手段は、指定された時間範囲又は測定点範囲に含まれる複数の測定点のマススペクトルデータの中で、測定時に信号飽和が生じた又はその可能性があるデータを含むマススペクトルデータを識別する。平均マススペクトル作成手段は、信号飽和が生じた又はその可能性があるデータを含むと判定されたマススペクトルデータを除外し、残りのマススペクトルデータを利用して、質量電荷比毎に時間方向に信号強度データを平均化することで平均マススペクトルを作成する。したがって、目的成分の特徴を的確に示さないマススペクトルは平均マススペクトルに反映されないので、検出器のゲインが高い場合でも正確な平均マススペクトルを算出することが可能である。
【発明の効果】
【００１６】
本発明に係るクロマトグラフ質量分析データ処理装置によれば、例えば質量分析装置の検出器のゲインが過大であってデータ飽和が生じるような場合であっても、クロマトグラムピークトップ付近の複数の測定点から、正確な、即ち、目的成分の特徴を的確に表すパターンを呈する平均マススペクトルを作成し表示することができる。それによって、平均マススペクトルを利用した定性分析の正確性を確保することができる。
【図面の簡単な説明】
【００１７】
【図１】本発明に係るクロマトグラフ質量分析データ処理装置を適用したＧＣ／ＭＳ／ＭＳの一実施例の全体構成図。
【図２】本実施例のＧＣ／ＭＳ／ＭＳにおける測定データ収集時の制御及び処理動作を示すフローチャート。
【図３】本実施例のＧＣ／ＭＳ／ＭＳにおける平均マススペクトル作成時の制御及び処理動作を示すフローチャート。
【図４】本実施例のＧＣ／ＭＳ／ＭＳにおける平均マススペクトル作成動作を説明するための模式図。
【発明を実施するための形態】
【００１８】
以下、本発明に係るクロマトグラフ質量分析データ処理装置について一例を挙げて詳細に説明する。図１は本発明に係るクロマトグラフ質量分析データ処理装置を適用したＧＣ／ＭＳ／ＭＳの一実施例の全体構成図である。
【００１９】
このＧＣ／ＭＳ／ＭＳは、試料に対して分析を実行してデータを収集するために、ガスクロマトグラフ（ＧＣ）１とタンデム四重極型質量分析装置２とを備える。ＧＣ１においては、ヘリウム等のキャリアガスが一定流量で試料気化室１０を経てカラム１２に供給される。カラム１２はカラムオーブン１１に内装され、一定温度に維持されるように又は所定の温度プロファイルに従うように温調される。所定のタイミングで試料気化室１０に微量の試料液が注入されると、該試料液は短時間で気化し、キャリアガス流に乗ってカラム１２に導入される。そして、カラム１２を通過する間に、試料に含まれる各種成分は分離され、時間的にずれてカラム１２出口から流出する。
【００２０】
タンデム四重極型質量分析装置２は、電子イオン化（ＥＩ）法や化学イオン化（ＣＩ）法などによるイオン源２１、前段四重極マスフィルタ２２、多重極型イオンガイド２４が内装されたコリジョンセル２３、後段四重極マスフィルタ２５、及び検出器２６を、真空チャンバ２０内に備える。検出器２６としては、例えばコンバージョンダイノードと電子増倍管との組み合わせが利用される。
【００２１】
ＭＳ／ＭＳ分析を行う際には、コリジョンセル２３内に衝突誘起解離（ＣＩＤ）ガスが供給される。ＧＣ１のカラム１２出口から流出する試料ガスはイオン源２１に導入され、試料ガス中の成分分子はイオン化される。発生した各種イオンのうち特定の質量電荷比を有するイオンのみが前段四重極マスフィルタ２２を通り抜けコリジョンセル２３内に導入される。イオンはコリジョンセル２３内でＣＩＤガスに接触して解離が促進され、各種のプロダクトイオンが生成される。特定の質量電荷比を有するプロダクトイオンのみが後段四重極マスフィルタ２５を通り抜け検出器２６に到達して検出される。
【００２２】
タンデム四重極型質量分析装置２では、コリジョンセル２３内にＣＩＤガスを導入せずに、前段四重極マスフィルタ２２と後段四重極マスフィルタ２５のいずれかでイオンを素通りさせる（イオン選択を実行しない）ことにより、イオンの解離を伴わない通常の質量分析、即ち、選択イオンモニタリング（ＳＩＭ）測定モードやスキャン測定モードによる測定を実行することも可能である。
【００２３】
検出器２６は到達したイオンの量に応じた検出信号を出力し、検出信号はＡ／Ｄ変換器２７でデジタルデータに変換されてデータ処理部３０に入力される。データ処理部３０は機能ブロックとしてデータ収集処理部３１を含み、データ収集処理部３１を通してデータ格納部３３にデータを格納する。また、データ処理部３０は本実施例に特徴的な動作を実施する平均マススペクトル作成処理部３２を含む。ＧＣ１やタンデム四重極型質量分析装置２の各部は分析制御部４０により制御され、さらに分析制御部４０やデータ処理部３０の動作は中央制御部４１により統括的に制御される。中央制御部４１には、ユーザインターフェイスとして入力部４２や表示部４３が接続されている。
【００２４】
なお、データ処理部３０、分析制御部４０、及び中央制御部４１の全て又は一部は、パーソナルコンピュータをハードウエア資源とし、そのコンピュータに予めインストールされた専用の制御・処理ソフトウエアを実行することにより、それぞれの機能が実現されるものとすることができる。
【００２５】
タンデム四重極型質量分析装置２では様々なモードの測定が実行可能である。既知の目的成分の定量分析を行う際には前述のＭＲＭ測定モードが一般に使用される。ＭＲＭ測定モードは、前段四重極マスフィルタ２２及び後段四重極マスフィルタ２５でそれぞれ所定の質量電荷比をもつイオンを選択するようにそれぞれへの印加電圧を設定することで、目的成分由来の特定のフラグメントイオンを検出する。この測定モードでは、目的成分と同時にイオン源２１に導入される夾雑物由来のイオンを排除することができるため、こうした不所望のイオンに起因するノイズを除去することができる。ただし、単純なＭＲＭ測定モードでは試料に含まれる未知成分が検出されないので、試料中にどのような成分が含まれるのかを並行して知りたい場合には、ＭＲＭ測定モードとスキャン測定モードとを短い時間間隔で交互に実行するような測定手法が採られることがよくある。
【００２６】
ＭＲＭ測定モードでは、前段四重極マスフィルタ２２及び後段四重極マスフィルタ２５の両方でイオン選択を実施するため、最終的に検出器２６に到達する目的成分由来のイオンの量はイオン源２１で生成される同イオンの量に比べてかなり少ない。一方、イオン解離を伴わないスキャン測定では一方の四重極マスフィルタ２２又は２５のみでイオン選択が実施されるため、検出器２６に到達する目的成分由来のイオンの量はＭＲＭ測定に比べて多くなる。そのため、ＭＲＭ測定時にイオンを高い感度で検出できるように検出器２６のゲインを上げておくと、スキャン測定時には検出信号が大き過ぎてＡ／Ｄ変換器２７の入力レンジをオーバーし、出力されるデータがデジタル的に飽和してしまうおそれがある。そこで、本実施例のＧＣ／ＭＳ／ＭＳでは測定によって収集されるデータが飽和した場合であっても、そうしたデータを処理した結果に悪影響が及ぶのを回避するため、特徴的なデータ処理を実施するようにしている。
【００２７】
次に、本実施例のＧＣ／ＭＳ／ＭＳにおいて実行される特徴的なデータ処理動作について説明する。まず、スキャン測定モードによりマススペクトルデータを収集する際に、データ収集処理部３１を中心に実行される処理動作について図２により説明する。図２はスキャン測定モードでのデータ収集時の制御及び処理動作を示すフローチャートである。なお、上述したようにＭＲＭ測定とスキャン測定とを交互に繰り返す場合には、スキャン測定期間中のみ図２に示した処理を実行し、ＭＲＭ測定期間中には従来と同様にデータ収集を行えばよい。
【００２８】
測定が開始されると、分析制御部４０は所定の質量電荷比範囲に亘る質量走査を繰り返すように前段又は後段四重極マスフィルタ２２又は２５に電圧を印加する。１回の質量走査の期間中に、検出器２６で得られる検出信号はＡ／Ｄ変換器２７によりデジタル値に変換されてデータ収集処理部３１に送られる。１回の質量走査により得られるデータは或る１つの測定点（測定時刻）におけるマススペクトルデータである。データ収集処理部３１は或る１測定点のマススペクトルデータが得られると（ステップＳ１）、そのデータ中に信号強度が閾値を超えるようなデータが存在するか否かを判定する（ステップＳ２）。
【００２９】
上述したように検出器２６から出力される検出信号が過大であるとＡ／Ｄ変換器２７の入力レンジを超えてしまう場合がある。入力レンジを超えて出力データが飽和した場合、データ値は所定値以上になるから、これに応じて、つまり飽和が生じたか或いはその可能性が高い状態を検出できるように上記閾値を決めておけばよい。マススペクトルデータ中に信号強度が閾値を超えたデータが存在する場合には、そのマススペクトルデータに対する飽和識別フラグＦを「１」にセットし（ステップＳ３）、信号強度が閾値を超えたデータがなければ飽和識別フラグＦを「０」にセットする（ステップＳ４）。そして、取得したマススペクトルデータと飽和識別フラグＦとを対応付けてデータ格納部３３に格納する（ステップＳ５）。なお、データ格納部３３に格納されるマススペクトルデータは、所定質量電荷比に対応したプロファイルデータであってもよいし、これをセントロイド処理したマススペクトルデータであってもよい。
【００３０】
そして、例えば測定開始時から所定の測定時間が経過したことを判定するなどして測定終了か否かを判定し（ステップＳ６）、未だ測定終了でなければステップＳ１に戻りスキャン測定により得られたデータの収集を継続する。上記のステップＳ１〜Ｓ５の繰り返しにより、測定開始時点から測定終了時点までの質量走査毎に、マススペクトルデータが飽和識別フラグＦとともにデータ格納部３３に格納される。
【００３１】
なお、Ａ／Ｄ変換器によっては入力レンジオーバーフロー検出機能を有しているものもあり、こうしたＡ／Ｄ変換器を利用可能である場合には、マススペクトルデータ中に信号強度の飽和が生じたデータが存在したか否かをオーバーフロー検出出力に基づいて判断することができる。また、Ａ／Ｄ変換器２７に入力されるアナログ検出信号のレベルを検出することで、Ａ／Ｄ変換後のデータが飽和を生じるか否かを判定するようにしてもよい。
【００３２】
次に、上述したようにマススペクトルデータがデータ格納部３３に格納されている状態で、平均マススペクトルを作成・表示する際の処理動作を図３、図４により説明する。図３は平均マススペクトル作成処理動作を示すフローチャート、図４は平均マススペクトル作成動作を説明するための模式図である。
【００３３】
ユーザは入力部４２にて所定の操作を行うことにより、目的試料に対して実施されたスキャン測定モードにより収集されたデータに基づいて作成されたトータルイオンクロマトグラム（ＴＩＣ）を表示部４３の画面上に表示する。ユーザはこのトータルイオンクロマトグラム上で平均化処理を行いたいクロマトグラムピークを指定し、平均化処理のために必要なパラメータ（処理条件）を設定する（ステップＳ１１）。このパラメータは、例えば平均化に使用される測定点の点数又は時間範囲などを含む。クロマトグラム上でドラッグ等のグラフィカルな操作を行うことで、平均化処理を行う時間範囲などを指定できるようにしてもよい。
【００３４】
ユーザにより処理実行指示が行われると（ステップＳ１２）、これを受けて平均マススペクトル作成処理部３２は、上記パラメータ等で指示された測定点範囲のマススペクトルデータを飽和識別フラグとともにデータ格納部３３から読み出す（ステップＳ１３）。一例として、図４に示すようなクロマトグラムピークに対し平均化処理対象の測定点点数を「５」とする場合を考える。このとき、平均化処理対象である測定点はピークトップ付近のＡ１〜Ａ５であるから、それら測定点Ａ１〜Ａ５において得られたマススペクトルデータが飽和識別フラグとともにデータ格納部３３から読み出される。
【００３５】
次に平均マススペクトル作成処理部３２は、変数ｎを１にセットしたあと（ステップＳ１４）、ｎ番目の測定点のマススペクトルデータを取得する（ステップＳ１５）。図４の例ではまず１番目の測定点Ａ１のマススペクトルデータが取得される。次に、このマススペクトルデータに対応付けられている飽和識別フラグＦが０であるか否かを判定する（ステップＳ１６）。飽和識別フラグＦが０であれば、そのときのマススペクトルデータは信号飽和が生じたデータを含まないと判断できるので、取得したマススペクトルデータを平均化処理対象に設定し（ステップＳ１７）てからステップＳ１８へ進む。一方、飽和識別フラグＦが１であれば、そのときのマススペクトルデータは信号飽和を生じたデータを含む可能性が高いので、ステップＳ１７の処理を回避してステップＳ１８へ進む。つまり、このときにはマススペクトルデータは平均化処理対象に設定されない。
【００３６】
ステップＳ１８では変数ｎが測定点範囲内の最終点であるか否かが判定され、最終点でなければ変数ｎをインクリメントして（ステップＳ１９）ステップＳ１５へと戻る。図４の例では測定点Ａ５が測定点範囲内の最終点であるから、ステップＳ１５〜Ｓ１９を４回繰り返し次にステップＳ１８に達した時点で最終点であると判断されてステップＳ２０へと進む。このステップＳ１５〜Ｓ１９の繰り返しにより、測定点Ａ１〜Ａ５のそれぞれのマススペクトルデータが取得されるが、いま測定実行時に付与された飽和識別フラグＦが測定点Ａ３、Ａ４に対し１であったとすると、測定点Ａ３、Ａ４の２つのマススペクトルデータは平均化処理対象には設定されない。つまりは、測定点Ａ１、Ａ２、Ａ５の３測定点のマススペクトルデータのみが平均化処理に供される。
【００３７】
平均マススペクトル作成処理部３２は飽和識別フラグに応じて選択された測定点のマススペクトルデータのみを用いて、質量電荷比毎の強度データの平均値を計算し、平均マススペクトルを作成する（ステップＳ２０）。そして、表示部４３の画面上に、作成された平均マススペクトルを描画するとともに、平均化処理に利用された測定点（上記例ではＡ１、Ａ２、Ａ５）と平均化処理から除外された測定点（上記例ではＡ３、Ａ４）とを識別可能に表示する（ステップＳ２１）。後者の表示は図４中に示したようにテキスト情報で行ってもよいし、例えばクロマトグラムカーブ上の測定点を示すマークを異なる表示色で示す等、グラフィカルに表示してもよい。
【００３８】
以上のように本実施例のＧＣ／ＭＳ／ＭＳでは、或る成分に対する平均マススペクトルを作成・表示する際に、信号強度が飽和した可能性があるデータを含むマススペクトルデータが除外されるので、平均マススペクトルの正確性が向上する。
【００４０】
また、上記実施例では単純なスキャン測定の際に得られたマススペクトルデータについて特徴的な処理を実施したが、マススペクトルデータを収集する測定モード、つまりは、ＭＳ／ＭＳ分析におけるプリカーサイオンスキャン測定モード、プロダクトイオンスキャン測定モード、ニュートラルロススキャン測定モードなどにおいても上述したような処理を適用することができる。
【００４１】
また、上記実施例はＧＣ／ＭＳ／ＭＳであるが、ＬＣ／ＭＳ／ＭＳでもよく、ＧＣ／ＭＳやＬＣ／ＭＳでもよいことは明らかである。さらに、上記実施例は本発明の一例であり、上記記載の変形例以外でも、本願発明の趣旨の範囲で適宜変形、修正、追加を行っても本願特許請求の範囲に包含されることは明らかである。
【符号の説明】
【００４２】
１…ガスクロマトグラフ（ＧＣ）
１０…試料気化室
１１…カラムオーブン
１２…カラム
２…タンデム四重極型質量分析装置
２０…真空チャンバ
２１…イオン源
２２…前段四重極マスフィルタ
２３…コリジョンセル
２４…多重極型イオンガイド
２５…後段四重極マスフィルタ
２６…検出器
２７…Ａ／Ｄ変換器
３０…データ処理部
３１…データ収集処理部
３２…平均マススペクトル作成処理部
３３…データ格納部
４０…分析制御部
４１…中央制御部
４２…入力部
４３…表示部
【図１】
0005747839.tif 000002
【図２】
0005747839.tif 000003
【図３】
0005747839.tif 000004
【図４】
0005747839.tif 000005